(57)【特許請求の範囲】
【請求項１】
所定の辺に引出電極群が形成された端子部を有する液晶パネルと、上記端子部に沿って配置されるバス基板とを含み、上記端子部の引出電極群と上記バス基板の所定の電極端子群とが接続基板を介して接続されている液晶表示素子において、
上記バス基板を上記接続基板に支持させる補強用の基板支持手段を有し、上記基板支持手段が、上記接続基板上に載置されるビーム材と、上記ビーム材の両端に設けられ上記バス基板が上記端子部と同一平面上に位置するように上記バス基板を支持する支持メンバーとを備え、上記ビーム材の一部分が上記端子部の上にまで延ばされていることを特徴とする液晶表示素子。
【請求項２】
上記支持メンバーは、上記バス基板の上面および下面の各面に沿って延在する上下一対のアームと、同アームの各一端間を連結する側板とを備えている請求項１に記載の液晶表示素子。
【請求項３】
上記支持メンバーは、上記接続基板の板厚分、上記ビーム材の下方に設けられている請求項１または２に記載の液晶表示素子。
【発明の詳細な説明】
【０００１】
【発明の属する技術分野】
本発明は、端子部に接続基板を介してバス基板が接続される液晶表示素子に関し、さらに詳しく言えば、バス基板の支持手段に関するものである。
【０００２】
【従来の技術】
図４に示されているように、液晶パネル１には端子部２が設けられている。この例ではパネルの３辺に端子部２が設けられており、図示されていないが、各端子部２には透明表示電極に連なる引出電極群が形成されている。
【０００３】
液晶パネル１を外装ケース内に組み込むにあたって、液晶パネル１には種々の駆動部品が取り付けられる。その一つとして、各端子部２に沿ってバス（ＢＵＳ）基板３が配置され、端子部２との接続が行なわれる。多くの場合、この接続にはＴＡＢ（ｔａｐｅ  ａｕｔｏｍａｔｅｄ  ｂｏｎｄｉｎｇ）基板４が用いられている。
【０００４】
端子部２とバス基板３とをＴＡＢ基板４で接続する場合、通常においては、ＴＡＢ基板４の出力端子側は異方性導電膜（ＡＣＦ）を介して端子部２の引出電極群に接続し、ＴＡＢ基板４の入力端子側はバス基板３の所定の電極端子群にハンダ付けするようにしている。
【０００５】
【発明が解決しようとする課題】
このようにして、各端子部２にバス基板３を接続した後、液晶パネル１は次の組立工程に搬送されるが、その際、不用意にバス基板３を掴んで持ち上げたりすることがある。
【０００６】
ＴＡＢ基板４はポリイミドフィルムをベースとしたフレキシブル基板の一種であるため、バス基板３が下から持ち上げられると、図５のようにＴＡＢ基板４が折れ曲がり、そのハンダ付け部分が剥がれてしまうことがあった。
【０００７】
【課題を解決するための手段】
本発明は、このような課題を解決するためになされたもので、その構成上の特徴は、所定の辺に引出電極群が形成された端子部を有する液晶パネルと、上記端子部に沿って配置されるバス基板とを含み、上記端子部の引出電極群と上記バス基板の所定の電極端子群とが接続基板を介して接続されている液晶表示素子において、上記バス基板を上記接続基板に支持させる補強用の基板支持手段を有し、上記基板支持手段が、上記接続基板上に載置されるビーム材と、上記ビーム材の両端に設けられ上記バス基板が上記端子部と同一平面上に位置するように上記バス基板を支持する支持メンバーとを備え、上記ビーム材の一部分が上記端子部の上にまで延ばされていることにある。
【０００８】
これによれば、バス基板が補強部材としての基板支持手段により、端子部とほぼ同一平面上に支持されるため、バス基板に持ち上げ力が加えられたとしても、接続基板が撓んでしまうおそれはなく、ハンダ付け部分が効果的に保護される。
【０００９】
支持メンバーは、バス基板の上面側もしくは下面側の少なくともいずれか一方の面を支持できるものであればよいが、バス基板の取付作業性および支持の確実性の点からすれば、バス基板の上面および下面の各面に沿って延在する上下一対のアームと、同アームの各一端間を連結する側板とを備えたコ字枠状であることが好ましい。
【００１０】
基板支持手段の材質は金属、合成樹脂のいずれでもよいが、金属製の場合には、基板支持手段をバス基板に形成されている電気回路のグラントとしても機能させることができる。また、金属製の場合には、上記アームの少なくとも一方に耳部を設けて、その耳部をバス基板に対してハンダ付けすることが支持強度を高めるうえで好ましい。
【００１１】
【発明の実施の形態】
次に、本発明を図面に示されている実施例により説明する。なお、この実施例において、先に説明した図４の従来例と同一もしくは同一と見なされる部分には、同じ参照符号が用いられている。
【００１２】
図１はこの実施例の要部拡大平面図、図２はその断面図であり、この実施例においても、液晶パネル１の端子部２にＴＡＢ基板４を介してバス基板３が接続されている。すなわち、ＴＡＢ基板４の出力端子側は異方性導電膜を介して端子部２の引出電極群に接続され、ＴＡＢ基板４の入力端子側はバス基板３の電極端子群にハンダ付けされている。
【００１３】
本発明によると、バス基板３をＴＡＢ基板４に支持させる補強用の基板支持手段１０を備えている。図３を併せて参照すると、基板支持手段１０は、ＴＡＢ基板４上に載置されるビーム材１１と、同ビーム材１１の両端に設けられた一対の支持メンバー１２，１２とを備えている。
【００１４】
この実施例において、基板支持手段１０は全体が金属製であり、ビーム材１１は帯板状に形成されている。ビーム材１１は、端子部２の側縁と平行に配向された状態でＴＡＢ基板４上に載置され、ＴＡＢ基板４の両端間に跨る長さを有している。この実施例では、ビーム材１１を一つとしているが複数としてもよい。
【００１５】
また、ビーム材１１の幅（バス基板３と直交する方向の幅）を広げて、その一部分が端子部２上にまでかかるようにすることが好ましい。このようにすることで、端子部２の引出電極群とＴＡＢ基板４との接続をも補強することができる。
【００１６】
支持メンバー１２，１２は左右対称に配置されるほかは同一構成であるため、その一方について説明する。支持メンバー１２は、バス基板３に対して直交するように、その上面に沿って延在する上部アーム１２１と、同じくバス基板３に対して直交するように、その下面に沿って延在する下部アーム１２２と、アーム１２１，１２２の各一端間を連結する側板１２３とを備えている。
【００１７】
すなわち、各支持メンバー１２は、側面視でほぼコ字枠状に形成されており、その上部アーム１２１と下部アーム１２２との間でバス基板３を保持する。各支持メンバー１２は、その上部アーム１２１側がビーム材１１の端部に連結されているが、この場合、バス基板３を端子部２とほぼ同一面に揃えるため、ビーム材１１の両端はＴＡＢ基板４の板厚分、下方に向けて折り曲げられている。
【００１８】
また、この実施例によると、各上部アーム１２１の側辺には、ＴＡＢ基板４にハンダ付けするための耳部１２４が突設されている。この耳部１２４の数は任意である。例えば、いずれか一方の上部アーム１２１側のみに設けてもよいし、各上部アーム１２１にそれぞれ複数個設けてもよい。
【００１９】
この基板支持手段１０を用いる場合の端子部２に対する各基板３，４の組立手順について説明する。まず、ＴＡＢ基板４の出力端子側を異方性導電膜を介して端子部２の引出電極群に接続する。
【００２０】
次に、基板支持手段１０のビーム材１１をＴＡＢ基板４上に載置する。このとき、ビーム材１１をできるだけ端子部２寄り側に配置することが好ましい。そして、支持メンバー１２，１２内にバス基板３を差し込み、ＴＡＢ基板４の入力端子側をバス基板３の所定の電極端子群にハンダ付けする。また、耳部１２４をバス基板３に形成されている所定のハンダランド部にハンダ付けする。
【００２１】
このようにして、バス基板３が基板支持手段１０により支持されるため、液晶パネル１を搬送する際、不用意にバス基板３を掴んで持ち上げたとしても、ＴＡＢ基板４に折れ曲がりが発生せず、バス基板３とＴＡＢ基板４のハンダ付け部分に剥離が生ずるおそれはない。
【００２２】
この基板支持手段１０は、端子部２に対してバス基板３を接続するすべてのＴＡＢ基板４に適用されることを要しない。端子部２の一つの辺につき、少なくとも一つのＴＡＢ基板４に適用されればよい。
【００２３】
また、上記実施例では、支持メンバー１２に上部アーム１２１と下部アーム１２２とを備えさせているが、上部アーム１２１のみ、もしくは下部アーム１２２のみとしてもよい。このように、アームを一つとする場合には、そのアームとバス基板とを適宜の固定手段、例えば上記のハンダ付けやネジなどにより固定すればよい。
【００２４】
また、上記実施例では、端子部２とバス基板３をＴＡＢ基板４で接続しているが、本発明はＴＡＢ基板に限定されるものではない。フレキシブル、リジッドを問わず、他の接続基板にも適用可能である。
【００２５】
【発明の効果】
以上説明したように、本発明によれば、液晶パネルの端子部とバス基板とを接続基板を介して接続する場合において、接続基板にバス基板を支持する補強用の基板支持手段を装着して、接続基板に対してバス基板が傾かないようにしたことにより、例えば液晶パネルの搬送時に、バス基板に持ち上げ力が加えられたとしても、接続基板が撓んでしまうおそれはなく、ハンダ付け部分が効果的に保護される。また、接続基板に対するバス基板の組立作業性も改善される。
【図面の簡単な説明】
【図１】本発明を具体的に示した実施例の要部拡大平面図。
【図２】上記実施例の断面図。
【図３】上記実施例に用いられている基板支持手段の斜視図。
【図４】従来例を示した平面図。
【図５】上記従来例が抱えている課題を説明するための模式的な側面図。
【符号の説明】
１  液晶パネル
２  端子部
３  バス基板
４  ＴＡＢ基板（接続基板）
１０  基板支持手段
１１  ビーム材
１２  支持メンバー
１２１  上部アーム
１２２  下部アーム
１２３  側板
１２４  耳部
【図１】
0004379841.tif 000002
【図２】
0004379841.tif 000003
【図３】
0004379841.tif 000004
【図４】
0004379841.tif 000005
【図５】
0004379841.tif 000006